(57)【要約】【課題】臭気の発生源に消臭用流体を確実に噴射することができる消臭装置を提供する。【解決手段】消臭装置Ｘは消臭ノズル１０、消臭用流体を貯留するタンクＴ、消臭用流体を供給するためのポンプＰ、ポンプＰの動作を制御する制御装置Ｓから構成される。制御装置Ｓを操作してポンプＰを動作させ消臭用流体を消臭ノズル１０へ圧送すると、流体圧力によりロッド部１３はバネ１２の付勢力に抗して前進する。ロッド部１３が前進終了位置に達すると、調圧弁１５が開いて消臭用流体がロッド部１３内へ流入し、その結果、消臭用流体がロッド部１３の先端部に形成した噴出孔１４から下方へ向けて噴射される。消臭ノズル１０のロッド部１３を伸張させたのち消臭用流体を噴射するから、臭気発生源に消臭用流体を確実に浴びせることができ、確実な消臭効果を期待できる。【選択図】      図２
2005325623.tif 000002
【特許請求の範囲】
【請求項１】
便器に取り付けられる進退可能な消臭ノズルと、この消臭ノズルに消臭用流体を供給する手段とから成り、前記消臭ノズルは、待機位置から前進して、消臭用流体を下方へ向けて噴出するようになされていることを特徴とする消臭装置。
【請求項２】
便器に取り付けられる局部洗浄ノズルに連結された進退可能な消臭ノズルと、この消臭ノズルに消臭用流体を供給する手段とから成り、前記消臭ノズルは、前記局部洗浄ノズルと連動して進退するように構成され、待機位置から前進して、消臭用流体を下方へ向けて噴出するようになされていることを特徴とする消臭装置。
【請求項３】
便器に取り付けられる進退可能なノズルの内部に洗浄水流路と消臭用流体流路とを区画形成し、洗浄水流路に洗浄水を供給する手段及び消臭用流体流路に消臭用流体を供給する手段を設け、前記ノズルの先端部における上面側に洗浄水流路に連通する洗浄水噴出孔を形成すると共に、下面側に消臭用流体流路に連通する消臭用流体噴出孔を形成し、前記ノズルは、待機位置から前進したときに、洗浄水を上方へ向けて噴出させ、消臭用流体を下方へ向けて噴出するようになされていることを特徴とする消臭装置。
【請求項４】
請求項１乃至３のいずれかに記載する消臭装置を設けたことを特徴とする消臭機能付き便器。
【発明の詳細な説明】
【技術分野】
【０００１】
本発明は便器の消臭手段に関する。
【背景技術】
【０００２】
特許文献１に、便器に消臭機能を持たせる手段として、人体洗浄用ノズルと共に、消臭用の水を散布する消臭用ノズルを備えた衛生洗浄装置が記載されている。この衛生洗浄装置は便器の後部上面へ枠体によって設置され、便器使用後など必要時に、操作部において消臭モードを選択することにより、上記消臭用ノズルから水が霧状又は円錐膜状に撒布され、臭気の成分を水に溶解させて消臭作用を発揮するとされている。
【特許文献１】実開平７−３４０７５号公報
【発明の開示】
【発明が解決しようとする課題】
【０００３】
前記特許文献１に記載された衛生洗浄装置の消臭手段は、消臭用ノズルを便器後部に装着した枠体に固定したものである。そのため、便器後方から消臭用水を散布することになるから、この水が、臭気の発生源が位置する便器中央領域まで必ずしも到達するとは限らない。すなわち、特許文献１に記載の従来の消臭手段は、消臭機能が確実ではない。
【課題を解決するための手段】
【０００４】
本発明は、臭気の発生源に消臭用流体を確実に噴射することができる手段の提供を目的とする。本発明が採用する第１の消臭装置の特徴とするところは、便器に取り付けられる進退可能な消臭ノズルと、この消臭ノズルに消臭用流体を供給する手段とから成り、前記消臭ノズルは、待機位置から前進して、消臭用流体を下方へ向けて噴出するようになされていることである。
【０００５】
本発明が採用する第２の消臭装置の特徴とするところは、便器に取り付けられる局部洗浄ノズルに連結された進退可能な消臭ノズルと、この消臭ノズルに消臭用流体を供給する手段とから成り、前記消臭ノズルは、前記局部洗浄ノズルと連動して進退するように構成され、待機位置から前進して、消臭用流体を下方へ向けて噴出するようになされていることである。
【０００６】
本発明が採用する第３の消臭装置の特徴とするところは、便器に取り付けられる進退可能なノズルの内部に洗浄水流路と消臭用流体流路とを区画形成し、洗浄水流路に洗浄水を供給する手段及び消臭用流体流路に消臭用流体を供給する手段を設け、前記ノズルの先端部における上面側に洗浄水流路に連通する洗浄水噴出孔を形成すると共に、下面側に消臭用流体流路に連通する消臭用流体噴出孔を形成し、前記ノズルは、待機位置から前進したときに、洗浄水を上方へ向けて噴出させ、消臭用流体を下方へ向けて噴出するようになされていることである。
【０００７】
ところで消臭ノズルから噴射する消臭用流体とは、消臭剤・芳香剤の液体のほか、消臭作用や芳香性を有するガス体が含まれる。
【０００８】
なお本発明は、前記消臭装置を便器に設けることによって、消臭機能付き便器を提供するものでもある。
【発明の効果】
【０００９】
本発明に係る消臭装置は、消臭用流体を噴射する消臭ノズルを進退可能としたので、便器後方に取り付けたとしても、消臭ノズルを前進させることにより、臭気の発生源に近づけることが可能である。すなわち、消臭用流体を臭気発生源の近くから噴射できるので、確実な消臭効果を期待できる。また、かかる消臭装置を備えた便器は、優れた消臭性能を発揮する。
【発明を実施するための最良の形態】
【００１０】
（第１の実施形態）
図１は、本発明に係る消臭装置Ｘを備える消臭機能付き便器Ｙを示すものであり、図２は、本発明の請求項１に係る消臭装置Ｘの一実施形態を概略的に示すものである。消臭装置Ｘは、便器本体１に設置される衛生洗浄装置（局部洗浄装置）や便座２と一体に組み付けられるほか、便器本体１に組み込まれる場合もある。消臭装置Ｘの消臭ノズル１０は通常、便器本体１の後部領域に配置され、消臭用流体を貯留するタンクや流体圧送用のポンプなどは、便器本体１上に載設した洗浄水タンク３の内部や衛生洗浄装置のケース（図示せず）の内部などに収納される。また消臭装置Ｘの動作は、リモコン４等に内蔵される制御装置によって制御される。
【００１１】
図２に示すように、本例の消臭装置Ｘは消臭専用であり、消臭ノズル１０と、消臭用流体を貯留するタンクＴと、消臭用流体を消臭ノズル１０に供給するためのポンプＰと、ポンプＰの動作を制御する制御装置Ｓとから構成される。消臭用流体は、液状の消臭剤・芳香剤、消臭剤又は芳香剤を水その他の溶媒に溶解させたもの、オゾンなどの消臭作用を持つ気体、芳香成分を混入したガス体等が使用される。
【００１２】
消臭ノズル１０は、所定位置に固定されるシリンダ部１１と、シリンダ部１１内に進退可能に収納されるロッド部１３とから成る。該ロッド部１３は内部に消臭用流体の通路を有し、先端部における下面側に噴射孔１４が形成され、後端部には一定圧力が加わると流入孔１３ａを開放する調圧弁１５が設けられている。シリンダ部１１は、後端部に前記ポンプＰと連絡する消臭用流体の供給孔１１ａが設けられ、ロッド部１３との間には当該ロッド部１３を後退方向へ常時付勢するバネ１２等の復帰手段が配置されている。
【００１３】
かかる構成の消臭装置Ｘは、リモコンや操作盤等に設けた制御装置Ｓを操作してポンプＰを動作させ、タンクＴから消臭用流体を消臭ノズル１０へ圧送すると、当初はシリンダ部１１の内部に流入する流体の圧力により、ロッド部１３は後端面が押されバネ１２の付勢力に抗して前進する。そして図２（Ｂ）に示す如く、ロッド部１３が前進終了位置に達すると、シリンダ部内１１ｂの内圧が上昇し、やがて流体圧が所定値を超えると、調圧弁１５が開いて、消臭用流体がロッド部１３内へ流入可能となる。その結果、消臭用流体がロッド部１３の先端部に形成した噴出孔１４から下方へ向けて噴射され、便器内の臭気発生源に対し消臭作用を及ぼす。
【００１４】
なお調圧弁１５は省略が可能であり、省略した場合は、噴出孔１４の孔径を適当に設定することで、ロッド部１３を前進させることが可能である。またこの場合、ロッド部１３の前進と同時に、消臭用流体の噴射を開始させることも考えられる。
【００１５】
制御装置Ｓを操作することにより、あるいはタイマー制御により、ポンプＰを停止させて、消臭ノズル１０への消臭用流体の供給を終了させると、ロッド部１３の後端面に作用していた流体圧力が低下する。これにより、ロッド部１３はバネ１２の付勢力によって後退し、当初の待機位置に戻る。
【００１６】
このように本発明に係る消臭装置Ｘは、進退可能な消臭ノズル１０のロッド部１３を伸張させたのち、消臭用流体を噴射する構成であるから、臭気発生源に消臭用流体を確実に浴びせることができる。なお通常は、便器の中央領域に形成される溜水部が臭気の発生位置となっている。従って消臭ノズル１０のロッド部１３は、前進時に、先端部が便器中央の溜水部上方またはその近傍に位置するよう設定することが望ましい。
【００１７】
（第２の実施形態）
図３は、消臭ノズル１０を局部洗浄用ノズル２０に連結し、両者が一体に進退するよう構成したものである。両ノズル１０，２０の構造はほぼ共通である。すなわち消臭ノズル１０は、所定位置に固定されるシリンダ部１１と、シリンダ部１１内に進退可能に収納されるロッド部１３とから成り、該ロッド部１３は、先端部における下面側に噴射孔１４が形成されると共に、後端部に流入孔１３ａが設けられている。シリンダ部１１は、後端部に消臭用流体の供給孔１１ａが設けられ、ロッド部１３との間に付勢バネ１２等の復帰手段が配置されている。ただし本例では、ロッド部１３の調圧弁１５（図２参照）を省略したが、これを設けることも妨げない。
【００１８】
他方、局部洗浄用ノズル２０は、シリンダ部２１と、シリンダ部２１内に進退可能に収納されるロッド部２３とから成り、該ロッド部２３は、先端部の上面側に噴射孔２４が形成され、後端部に流入孔２３ａが設けられ、該流入孔２３ａには所定圧で開放動作する調圧弁２５が配設されている。シリンダ部２１の後端部には洗浄水の供給孔２１ａが設けられ、ロッド部２３との間に付勢バネ２２が配置されている。そして、前記消臭ノズル１０のロッド部１３と、局部洗浄用ノズル２０のロッド部２３とは、連結部材３０によって連結され、一体に進退するよう設定されている。
【００１９】
本例では２つの態様が考えられる。まず１つは、洗浄水を局部洗浄用ノズル２０に供給して、そのロッド部２３を前進させることにより、これと一体に連結した消臭ノズル１０のロッド部１３を前進させる。そして図２（Ｂ）に示す如く、ロッド部１３，２３が前進終了位置に達して、局部洗浄用ノズル２０の噴出孔２４から洗浄水が上方へ噴射されるのと同時又はしかるのちに、消臭用流体を消臭ノズル１０へ供給することにより、ロッド部１３の噴出孔１４から消臭用流体を下方へ向けて噴射させる。本態様は、ロッド部１３，２３の前進を、局部洗浄用ノズル２０に供給する洗浄水の水圧で行うものである。
【００２０】
もう１つは、洗浄水を局部洗浄用ノズル２０に供給すると同時に、消臭用流体を消臭ノズル１０に供給することによって、各ロッド部１３，２３を前進させるものであり、従ってロッド部１３，２３が前進終了位置に達すると、局部洗浄用ノズル２０から洗浄水が噴射されるのと同時に、消臭用流体が消臭ノズル１０から噴射される。本態様は、ロッド部１３，２３の前進は、局部洗浄用ノズル２０に供給する洗浄水の水圧と、消臭ノズル１０に供給する消臭用流体の流体圧とを合計した圧力で行われる。
【００２１】
（第３の実施形態）
図４に示す消臭ノズル１０は、局部洗浄用ノズル２０におけるロッド部２３の先端部に連結部材３０を介して消臭ノズルヘッド１６を固定し、このノズルヘッド１６に、例えばコイル状に形成したプラスチックチューブのような伸縮可能な管路１７を接続したものである。本例では、洗浄水を局部洗浄用ノズル２０に供給して、そのロッド部２３を前進させることにより、これと一体に連結した消臭ノズルヘッド１６を前進させ、図４（Ｂ）に示す如く、ロッド部２３が前進終了位置に達したならば、消臭用流体を伸縮管路１７を通じて供給することにより、ノズルヘッド１６から消臭用流体を下方へ向けて噴射させる。
【００２２】
（第４の実施形態）
図５に示すように、本発明は、いわゆるスイング式のノズルにも適用することが可能である。すなわち、便器本体１の側方に設置した衛生洗浄装置５のハンドル６によって、通水路を兼ねる湾曲形成されたアーム２７の先端に洗浄ノズルヘッド２６を設けた構造の局部洗浄用ノズル２０を前後に揺動させるものにおいては、上記アーム２７に、消臭用流体の通路を兼ねるアーム１８を一体に装着し、その先端に、下方へ向かう噴出孔を有する消臭ノズルヘッド１６を設ければよい。本例では、局部洗浄用ノズル２０を前進位置へ揺動させたときに、消臭用流体をアーム１８を通じて供給することにより、消臭ノズルヘッド１６から消臭用流体を下方へ向けて噴射させる。
【００２３】
（第５の実施形態）
図６は、１つのロッド部４３を局部洗浄用と消臭用とに兼用させたノズル装置４０の一例を示すものである。本例のノズル装置４０は、シリンダ部４１内へ進退可能に収納されバネ４２で後退方向に付勢されたロッド部４３の内部を区画して、洗浄水用の流路４４と消臭用流体の流路４５とを形成した。そして、当該ロッド部４３の先端部における上面側に、洗浄水流路４４に連通する噴出孔４６を形成し、他方、下面側に消臭用流体流路４５に連通する噴出孔４７を形成した。またロッド部４３の後端部には、洗浄水流路４４に連通する流入口４４ａと、消臭用流体流路４５に連通する流入口４５ａを形成し、洗浄水の流入口４４ａには、所定圧に達すると開放動作する調圧弁４８を配置した。さらにシリンダ部４１内も区画して、洗浄水室４１ｃと消臭用流体室４１ｄとを形成し、各室４１ｃ，４１ｄそれぞれに、洗浄水の供給口４１ａと、消臭用流体の供給口４１ｂとを形成した。
【００２４】
かかる構成のノズル装置４０は、洗浄水を供給口４１ａから洗浄水室４１ｃへ供給すると同時に、消臭用流体を供給口４１ｂから消臭用流体室４１ｄへ供給することにより、ロッド部４３が前進する。そして図６（Ｂ）に示す如く、ロッド部４３が前進終了位置に達すると、調圧弁４８が開いて、ロッド部４３内の洗浄水用流路に洗浄水が流入し、先端部の噴出孔４６から洗浄水が上方へ噴射される。これと同時に、消臭用流体がロッド部４３内の消臭用流体流路４５を流通して噴出孔４７から下方へ向けて噴射させる。
【００２５】
（第６の実施形態）
図７は、図６に示す第５実施形態において、シリンダ部４１内を区画するのに代え、例えばベローズ構造の拡縮可能なバッグ部材４９をシリンダ部４１内に配置し、このバッグ部材４９の一端を、シリンダ部４１に形成した消臭用流体の供給口４１ａに接続し、他端を、ロッド部４３の消臭用流体流路４５に連通する流入口４５ａに接続したものである。
【００２６】
本例のノズル装置４０の動作は、前記第６実施形態に準じるものであり、洗浄水を供給口４１ａからシリンダ部４１内へ供給すると同時に、消臭用流体を供給口４１ｂからバッグ部材４９内へ供給することにより、ロッド部４３を前進させる。そして図７（Ｂ）に示す如くロッド部４３が前進終了位置に達すると、調圧弁４８が開いて、ロッド部４３内の洗浄水用流路に洗浄水が流入し、先端部の噴出孔４６から洗浄水が上方へ噴射される。同時に、消臭用流体がロッド部４３の噴出孔４７から下方へ向けて噴射させる。
【図面の簡単な説明】
【００２７】
【図１】本発明に係る消臭機能付き便器の一例を示す斜視図である。
【図２】本発明の第１の実施形態に関するものであり、図（Ａ）は待機位置に在る消臭ノズルを断面して示す消臭装置全体の概略構成図、図（Ｂ）は前進位置にある消臭ノズルを断面して示す図面である。
【図３】本発明に係る消臭装置の第２の実施形態に関するものであって、図（Ａ）は待機位置にある消臭ノズルを断面して示す図面、図（Ｂ）は前進位置にある消臭ノズルを断面して示す図面である。
【図４】本発明に係る消臭装置の第３の実施形態に関するものであって、図（Ａ）は待機位置にある消臭ノズルを断面して示す図面、図（Ｂ）は前進位置にある消臭ノズルを断面して示す図面である。
【図５】本発明に係る消臭装置の第４の実施形態に関するものであって、便器に取り付けた状態を部分断面して示す図面である。
【図６】本発明に係る消臭装置の第５の実施形態に関するものであって、図（Ａ）は待機位置にある消臭ノズルを断面して示す図面、図（Ｂ）は前進位置にある消臭ノズルを断面して示す図面である。
【図７】本発明に係る消臭装置の第６の実施形態に関するものであって、図（Ａ）は待機位置にある消臭ノズルを断面して示す図面、図（Ｂ）は前進位置にある消臭ノズルを断面して示す図面である。
【符号の説明】
【００２８】
Ｘ…消臭装置  Ｙ…消臭機能付き便器  １…便器本体  ２…便座  ５…衛生洗浄装置    １０…消臭ノズル  １１…シリンダ部  １３…ロッド部  １４…噴出孔  １５…調圧弁  ２０…局部洗浄用ノズル
【図１】
2005325623.tif 000003
【図２】
2005325623.tif 000004
【図３】
2005325623.tif 000005
【図４】
2005325623.tif 000006
【図５】
2005325623.tif 000007
【図６】
2005325623.tif 000008
【図７】
2005325623.tif 000009